(57)【要約】      （修正有）【課題】通常一般のボトルにはない新しい宣伝情報を、ボトル飲料の購入非購入に関わりなく外観上から得られるようにした飲料ボトルを提案する。【解決手段】飲料ボトルは、飲料を充填し密封したボトルであって、充填飲料の商標や商品名のほか品名・原材料名・内容量・製造者名等を印刷した商品表示ラベル２に、当該充填飲料と関連する別飲料商品の説明や宣伝広告３等を印刷したラベルを付着させてある構成としたものである。【選択図】図２
0003151043.tif 000002
【実用新案登録請求の範囲】
【請求項１】
飲料を充填し密封したボトル(1)であって、充填飲料の商標や商品名のほか品名・原材料名・内容量・製造者名等を印刷した商品表示ラベル(2)に、当該充填飲料と関連する別飲料商品の説明や宣伝広告(3)等を印刷したラベルを付着させてある飲料ボトル。
【考案の詳細な説明】
【技術分野】
【０００１】
本考案は、例えばワイン・ウイスキーに代表される果実酒・洋酒類、日本酒・中国酒・薬味酒類等の容器として多用されている瓶詰め飲料のボトルや、飲用茶・コーヒー・ココア類、清涼飲料・果実飲料・野菜ジュース等の容器として多用されている合成樹脂製の膨出容器＝通称ペットボトル＝等に、貼着または密着させて使用されているラベル付きの飲料ボトルに関するものである。
【背景技術】
【０００２】
従来からこの種の飲料ボトルは、種々の形態のものが身近に存在し、周知されている。これらのボトル中、瓶詰め飲料ボトルには主として紙製のラベルが貼付され、ペットボトルには主としてシュリンクフィルム製のラベルが筒状に巻かれて密着されている。これらのラベルには、何れも当該充填商品の商標や味覚等を大きく表示し意匠化した商品表示部と、当該商品の品名や原材料名・内容量・製造者名等を小さい文字で説明した商品説明部とが印刷されている。
【０００３】
他方、このようなラベルに関する発明・考案として、内容飲料を飲んだ後に読み取れるようにした二次元バーコードを印刷したシュリンクフィルムを使用したボトル（特許文献１）や、開封すると内部に印刷した当選番号等を確認することができるように表裏二重にしたラベルを貼ったボトル（非特許文献１）、ボトルの口部封緘ラベルを剥離すると、内部の口部封緘キャップの外周に印刷したおみくじ情報を確認することができるようにした封緘ラベル付きボトル（非特許文献２）等が既に公開されている。
【先行技術文献】
【特許文献】
【０００４】
【特許文献１】特開２００６−３１７６５４号公報
【非特許文献】
【０００５】
【非特許文献１】登録実用新案第３０９４３４３号公報
【非特許文献２】登録実用新案第３１４７２７２号公報
【考案の概要】
【考案が解決しようとする課題】
【０００６】
これらの既に公開されている先行技術にあっては、何れもボトル飲料の購買者がボトルを購入後にボトルを所要量飲み干すか、貼付ラベルを開封するか、封緘ラベルを剥離するかという行為の後に、ボトル等に隠されていた情報を見ることができるようにしたものであるので、一般に周知のボトルに比して、購買者にとっては何らかの情報が得られる点で好ましいものである。
【０００７】
本考案は、このような先行技術とは全く思想を異にするものであって、通常一般のボトルにはない新しい情報を、ボトル飲料の購入非購入に関わりなく外観から得られるようにした飲料ボトルをここに提案しようとするものである。
【課題を解決するための手段】
【０００８】
該目的を達成するために講じた本考案にいうところの飲料ボトルの構成は、飲料を充填し密封したボトル１であって、充填飲料の商標や商品名のほか品名・原材料名・内容量・製造者名等を印刷した商品表示ラベル２に、当該充填飲料と関連する別飲料商品の説明や宣伝広告３等を印刷したラベルを付着させてある構成としたものである。
【考案の効果】
【０００９】
本考案にいう飲料ボトルは、このように構成したものであるから、任意の飲料を購入しようとする購買者は、購入に先立ってボトルを手にとって、充填飲料の原材料等の説明を黙読し確認するときや、購買後において当該原材料等の説明を確認するときに、購買飲料と関連する別飲料商品の説明や宣伝広告等の情報を提供できるので、購買者にとっては、次回購入時の参考とすることができ、販売者にとっては、関連商品の宣伝ができ、商品の販売促進に繋がるという効果が期待できる。併せて、ラベルの印刷製造時に、従来の所要印刷部と同時に印刷でき、ボトルへの貼付操作やシュリンク密着操作は従来通りに行うことができるのでコストアップに繋がることもないという利点もある。また、別途独立した商品の宣伝広告費を圧縮できるという効果も期待できる。
【図面の簡単な説明】
【００１０】
【図１】本考案の飲料ボトルを例示した正面図。
【図２】同飲料ボトルの背面に貼付する印刷ラベルを示す正面図。
【図３】同飲料ボトルの背面に貼付する別形態の印刷ラベルを示す正面図。
【考案を実施するための形態】
【００１１】
上記のような構成とした本考案の飲料ボトルを実施するに当たって、ラベルの印刷形成時に別飲料商品の説明や宣伝広告の印刷を同時に行いコストアップに繋がらないようにするのが好ましい。また、別飲料商品の説明や宣伝広告等の印刷には、文字説明だけではなく、当該別飲料商品ボトルの写真を含む外観図形を印刷しておくのが好ましい。
【実施例】
【００１２】
以下添付の図面に基づいて本考案の実施例を説明する。ガラス瓶にワインを充填して密封した図１のワインボトル１の正面に、当該ワインの商標等を大きく表示したメインラベル２が貼付されている。このメインラベル２の貼付面の背面側に、図２に示した別の印刷ラベル２を貼付する。
【００１３】
この図２に示したラベルには、充填してある果実酒ワインの商品説明と、食品表示として規定されている品名・原産国名・容量・アルコール分等の記載のほかに輸入業者名・住所・電話番号等を記載した商品説明ラベル２部分の下方に連続して、広告宣伝スペース３が設けられている。
【００１４】
該実施例の広告宣伝スペース３には、関連推奨商品４、該実施例においては、当該ボトル１に充填されたワインと同様のワインであって別名柄の推奨ワインが、その外観写真とともに、「次はこのワインがお奨め！」としてワイン名と簡単な推奨文を印刷してある。
【００１５】
この広告宣伝スペース３は、このように必ず商品説明ラベル２部分の下方に配置されているものである必要性はなく、例えば図３に示したように、商品説明ラベル２部分の側方（同図のものでは右側）に配置されているものとしてあってもよい。
【００１６】
また、図示は省略したが、図１に示したメインラベル２の一部に、図２または図３に準じた広告宣伝スペース３を形成して、別名柄の推奨ワインの宣伝広告をしてもよい。
【００１７】
更にまた、飲用茶類や清涼飲料・果実飲料・野菜ジュース等を充填したペットボトルの胴部に密着させてしようするシュリンクフィルムにあっても、同様に、広告宣伝スペース３を形成して別名柄の推奨ジュース類の宣伝広告を印刷したフィルムを使用してもよい。この場合も、ペットボトル胴部へのシュリンクフィルムの密着嵌合は従来通りに行えばよいので、コスト高となることはない。
【００１８】
以上本考案の代表的な実施例について説明したが、本考案は上記実施例のもののみに制約されるものではなく、本考案の構成要件を充足し、目的を達成し、効果を有する範囲内において適宜に改変して実施することができるものである。
【符号の説明】
【００１９】
１  飲料ボトル
２  ラベル
３  広告宣伝スペース
４  関連推奨商品
【図１】
0003151043.tif 000003
【図２】
0003151043.tif 000004
【図３】
0003151043.tif 000005